(57)【要約】【課題】  計測装置と管理装置との間の通信トラフィックの負荷を低減して、管理装置でのデータ処理の負荷を低減する。【解決手段】  計測システム１は、被分析エリアの床面に設置された複数のタイル状センサ２と、各タイル状センサ２で検出された情報が収集・管理される管理装置３とで構成される。各タイル状センサ２は、複数の圧力センサを具備しており、被検出対象が被分析エリア内を移動すると、各圧力センサから出力される複数のセンサ値がサンプリングされる。そして、サンプリング取得された複数のセンサ値の平均値（演算値）が算出され、この演算値を含む中継情報が、管理装置３に送信される。管理装置３では、その中継情報に基づいて、被分析エリア内の被検出対象が分析されて、その分析結果が表示及び保存される。【選択図】  図１
2006172140.tif 000002
【特許請求の範囲】
【請求項１】
被検出対象を検出するために設けられた複数の計測装置と、該計測装置で検出された前記被検出対象に関する情報が収集管理される管理装置とで構成された計測システムであって、
前記計測装置の各々は、
前記被検出対象を検出してセンサ値を出力するセンサ手段と、
前記計測装置を識別するための識別情報を記憶した識別情報記憶手段と、
前記センサ手段により出力された前記センサ値を処理して、演算値を出力する演算処理手段と、
前記演算処理手段により出力された前記演算値に、前記識別情報記憶手段に記憶された前記識別情報を付加した中継情報を、他の前記計測装置及び前記管理装置の少なくとも一方に送信するデータ送信手段とを備え、
前記管理装置は、
前記計測装置から送信された前記中継情報を受信する中継情報受信手段と、
前記中継情報受信手段により受信された前記中継情報を記憶する中継情報記憶手段と、
前記中継情報記憶手段に記憶された前記中継情報を処理する管理制御手段と
を備えたことを特徴とする計測システム。
【請求項２】
前記計測装置の各々は、
他の前記計測装置から送信された中継情報を受信するデータ受信手段と、
前記データ受信手段により受信された前記中継情報に、前記識別情報記憶手段に記憶された前記識別情報を付加して、他の前記計測装置及び前記管理装置の少なくとも一方に転送するデータ転送手段と
を備えたことを特徴とする請求項１に記載の計測システム。
【請求項３】
前記演算処理手段は、前記データ受信手段により受信された前記中継情報に、前記演算値を反映させる処理を実行する機能を有していることを特徴とする請求項２に記載の計測システム。
【請求項４】
前記中継情報は、前記複数の計測装置のうちで経由した該計測装置における、各々の前記演算値と各々の前記識別情報とを含むものであって、
前記演算処理手段は、前記データ受信手段により受信された前記中継情報に、前記演算値を付加することを特徴とする請求項３に記載の計測システム。
【請求項５】
前記中継情報は、前記複数の計測装置のうちで経由した該計測装置における、各々の経由過程で前記演算値を更新することにより得られた推論値と、各々の前記識別情報とを含むものであって、
前記演算処理手段は、前記データ受信手段により受信された前記中継情報に含まれる前記推論値を、前記演算値に基づいて更新することを特徴とする請求項３に記載の計測システム。
【請求項６】
前記計測装置の各々は、
他の前記計測装置及び前記管理装置の少なくとも一方から送信され、前記演算処理手段による処理の内容を指示する第１コマンド情報を受信する第１コマンド情報受信手段と、
前記第１コマンド情報受信手段により受信された前記第１コマンド情報に、前記識別情報記憶手段に記憶された前記識別情報を付加して、他の前記計測装置に転送する第１コマンド情報転送手段とを備え、
前記演算処理手段は、前記第１コマンド情報受信手段により受信された前記第１コマンド情報に対応する処理の内容を実行するものであって、
前記管理装置は、
前記第１コマンド情報を前記計測装置に送信する第１コマンド情報送信手段を備えたことを特徴とする請求項１又は２に記載の計測システム。
【請求項７】
前記計測装置の各々は、
他の前記計測装置及び前記管理装置の少なくとも一方から送信され、前記センサ手段による計測項目を指示する第２コマンド情報を受信する第２コマンド情報受信手段と、
前記第２コマンド情報受信手段により受信された前記第２コマンド情報に、前記識別情報記憶手段に記憶された前記識別情報を付加して、他の前記計測装置に転送する第２コマンド情報転送手段とを備え、
前記センサ手段は、前記被検出対象を複数の計測項目について検出可能な複数種類のセンサから構成されており、前記第２コマンド情報受信手段により受信された前記第２コマンド情報に対応する計測項目について前記被検出対象を検出するものであって、
前記管理装置は、
前記第２コマンド情報を前記計測装置に送信する第２コマンド情報送信手段を備えたことを特徴とする請求項１又は２に記載の計測システム。
【請求項８】
前記計測装置の各々は、
前記被検出対象を検出可能な位置に設置される板状の基板を備えており、前記センサ手段が該基板に設けられている板状計測装置であることを特徴とする請求項１乃至７のいずれかに記載の計測システム。
【請求項９】
被検出対象を検出するために設けられた板状計測装置であって、
前記被検出対象を検出可能な位置に設置される板状の基板と、
前記基板に設けられて前記被検出対象を検出してセンサ値を出力するセンサ手段と、
前記板状計測装置を識別するための識別情報を記憶した識別情報記憶手段と、
前記センサ手段により出力された前記センサ値を処理して、演算値を出力する演算処理手段と、
前記演算処理手段により出力された前記演算値に、前記識別情報記憶手段に記憶された前記識別情報を付加した中継情報を、外部に送信するデータ送信手段とを備えたことを特徴とする板状計測装置。
【請求項１０】
被検出対象を検出するために設けられた計測装置に備えられた計測制御プログラムであって、コンピュータを、
前記被検出対象を検出してセンサ値を出力するセンサ手段から、該センサ値を取得するセンサ値取得手段、
前記計測装置を識別するための識別情報を記憶した識別情報記憶手段、
前記センサ手段により出力された前記センサ値を処理して、演算値を出力する演算処理手段、
前記演算処理手段により出力された前記演算値に、前記識別情報記憶手段に記憶された前記識別情報を付加した中継情報を、外部に送信するデータ送信手段、
として機能させることを特徴とする計測制御プログラム。
【請求項１１】
被検出対象を検出するために設けられた複数の計測装置と、該計測装置で検出された前記被検出対象に関する情報が収集管理される管理装置とで構成された計測システムの制御方法であって、
前記計測装置の各々において、
前記被検出対象を検出するセンサ手段により、センサ値を出力されるセンシング工程と、
前記センシング工程により出力された前記センサ値を処理して、演算値を出力する演算処理工程と、
前記演算処理工程により出力された前記演算値に、前記板状計測装置を識別するための識別情報を付加した中継情報を、他の前記計測装置及び前記管理装置の少なくとも一方に送信するデータ送信工程とを備え、
前記管理装置において、
前記板状計測装置から送信された前記中継情報を受信する中継情報受信工程と、
前記中継情報受信工程により受信された前記中継情報を、中継情報記憶手段に記憶させる中継情報記憶工程と、
前記中継情報記憶工程により前記中継情報記憶手段に記憶された前記中継情報を処理する管理制御工程と
を備えたことを特徴とする計測システムの制御方法。
【発明の詳細な説明】
【技術分野】
【０００１】
本発明は、工場や店舗などの所定の被分析エリア内に設置され、人間や物品などの被検出対象を計測する計測システム、板状計測装置、計測制御プログラム及び計測システムの制御方法に関する。
【背景技術】
【０００２】
従来、工場や店舗などで物品を管理するために、載置物体の有無や載置物体の底面の形状などを検出するマットセンサが知られている（例えば、特許文献１を参照）。この従来のマットセンサでは、基板上に行列状に複数の感圧センサを配置して、その基板の表面を圧力伝達性を有する絶縁性カバーで覆ってマットを形成する。そして、感圧センサの検出結果を所定のフォーマットのデータに変換して、そのデータを先端にコネクタが設けられた接続用ケーブルを介して、他の管理コンピュータに送信されるように構成される。これにより、工場や店舗などで物品を管理するシステムに用いた場合に、物品管理範囲の拡大を行う際の工事の簡略化とするものである。
【特許文献１】特開平４−１４８３１８号公報
【発明の開示】
【発明が解決しようとする課題】
【０００３】
しかしながら、上記のようなマットセンサでは、工場や店舗などの被分析エリアが広い場合、複数のマットセンサをその床面に設置する必要がある。そうすると、各マットセンサでの検出結果のデータが、短時間で大量に管理コンピュータに送信されることになり、各マットセンサと管理コンピュータとの間に通信トラフィックの負荷が増大する問題があった。
【０００４】
本発明は上記課題を解決するためになされたものであり、人間や物品などの被検出対象を計測する計測装置と、被検出対象に関する情報が収集管理される管理装置との間の通信トラフィックの負荷を低減して、被分析エリアが広くなっても計測装置と管理装置との間の通信トラフィックの負荷を増加させることなく、管理装置でのデータ処理の負荷を低減することができる計測システム、板状計測装置、計測制御プログラム及び計測システムの制御方法の提供を目的とする。
【課題を解決するための手段】
【０００５】
上記目的を達成するために、請求項１に係る発明の計測システムは、被検出対象を検出するために設けられた複数の計測装置と、該計測装置で検出された前記被検出対象に関する情報が収集管理される管理装置とで構成された計測システムであって、前記計測装置の各々は、前記被検出対象を検出してセンサ値を出力するセンサ手段と、前記計測装置を識別するための識別情報を記憶した識別情報記憶手段と、前記センサ手段により出力された前記センサ値を処理して、演算値を出力する演算処理手段と、前記演算処理手段により出力された前記演算値に、前記識別情報記憶手段に記憶された前記識別情報を付加した中継情報を、他の前記計測装置及び前記管理装置の少なくとも一方に送信するデータ送信手段とを備え、前記管理装置は、前記計測装置から送信された前記中継情報を受信する中継情報受信手段と、前記中継情報受信手段により受信された前記中継情報を記憶する中継情報記憶手段と、前記中継情報記憶手段に記憶された前記中継情報を処理する管理制御手段とを備えている。
【０００６】
また、請求項２に係る発明の計測システムは、請求項１に記載の発明の構成に加え、前記計測装置の各々は、他の前記計測装置から送信された中継情報を受信するデータ受信手段と、前記データ受信手段により受信された前記中継情報に、前記識別情報記憶手段に記憶された前記識別情報を付加して、他の前記計測装置及び前記管理装置の少なくとも一方に転送するデータ転送手段とを備えている。
【０００７】
また、請求項３に係る発明の計測システムは、請求項２に記載の発明の構成に加え、前記演算処理手段は、前記データ受信手段により受信された前記中継情報に、前記演算値を反映させる処理を実行する機能を有していることを特徴とする。
【０００８】
また、請求項４に係る発明の計測システムは、請求項３に記載の発明の構成に加え、前記中継情報は、前記複数の計測装置のうちで経由した該計測装置における、各々の前記演算値と各々の前記識別情報とを含むものであって、前記演算処理手段は、前記データ受信手段により受信された前記中継情報に、前記演算値を付加することを特徴とする。
【０００９】
また、請求項５に係る発明の計測システムは、請求項３に記載の発明の構成に加え、前記中継情報は、前記複数の計測装置のうちで経由した該計測装置における、各々の経由過程で前記演算値を更新することにより得られた推論値と、各々の前記識別情報とを含むものであって、前記演算処理手段は、前記データ受信手段により受信された前記中継情報に含まれる前記推論値を、前記演算値に基づいて更新することを特徴とする。
【００１０】
また、請求項６に係る発明の計測システムは、請求項１又は２に記載の発明の構成に加え、前記計測装置の各々は、他の前記計測装置及び前記管理装置の少なくとも一方から送信され、前記演算処理手段による処理の内容を指示する第１コマンド情報を受信する第１コマンド情報受信手段と、前記第１コマンド情報受信手段により受信された前記第１コマンド情報に、前記識別情報記憶手段に記憶された前記識別情報を付加して、他の前記計測装置に転送する第１コマンド情報転送手段とを備え、前記演算処理手段は、前記第１コマンド情報受信手段により受信された前記第１コマンド情報に対応する処理の内容を実行するものであって、前記管理装置は、前記第１コマンド情報を前記計測装置に送信する第１コマンド情報送信手段を備えている。
【００１１】
また、請求項７に係る発明の計測システムは、請求項１又は２に記載の発明の構成に加え、前記計測装置の各々は、他の前記計測装置及び前記管理装置の少なくとも一方から送信され、前記センサ手段による計測項目を指示する第２コマンド情報を受信する第２コマンド情報受信手段と、前記第２コマンド情報受信手段により受信された前記第２コマンド情報に、前記識別情報記憶手段に記憶された前記識別情報を付加して、他の前記計測装置に転送する第２コマンド情報転送手段とを備え、前記センサ手段は、前記被検出対象を複数の計測項目について検出可能な複数種類のセンサから構成されており、前記第２コマンド情報受信手段により受信された前記第２コマンド情報に対応する計測項目について前記被検出対象を検出するものであって、前記管理装置は、前記第２コマンド情報を前記計測装置に送信する第２コマンド情報送信手段を備えている。
【００１２】
また、請求項８に係る発明の計測システムは、請求項１乃至７のいずれかに記載の発明の構成に加え、前記計測装置の各々は、前記被検出対象を検出可能な位置に設置される板状の基板を備えており、前記センサ手段が該基板に設けられている板状計測装置であることを特徴とする。
【００１３】
また、請求項９に係る発明の板状計測装置は、被検出対象を検出するために設けられた板状計測装置であって、前記被検出対象を検出可能な位置に設置される板状の基板と、前記基板に設けられて前記被検出対象を検出してセンサ値を出力するセンサ手段と、前記板状計測装置を識別するための識別情報を記憶した識別情報記憶手段と、前記センサ手段により出力された前記センサ値を処理して、演算値を出力する演算処理手段と、前記演算処理手段により出力された前記演算値に、前記識別情報記憶手段に記憶された前記識別情報を付加した中継情報を、外部に送信するデータ送信手段とを備えている。
【００１４】
また、請求項１０に係る発明の計測制御プログラムは、被検出対象を検出するために設けられた計測装置に備えられた計測制御プログラムであって、コンピュータを、前記被検出対象を検出してセンサ値を出力するセンサ手段から、該センサ値を取得するセンサ値取得手段、前記計測装置を識別するための識別情報を記憶した識別情報記憶手段、前記センサ手段により出力された前記センサ値を処理して、演算値を出力する演算処理手段、前記演算処理手段により出力された前記演算値に、前記識別情報記憶手段に記憶された前記識別情報を付加した中継情報を、外部に送信するデータ送信手段、として機能させることを特徴とする。
【００１５】
また、請求項１１に係る発明の計測システムの制御方法は、被検出対象を検出するために設けられた複数の計測装置と、該計測装置で検出された前記被検出対象に関する情報が収集管理される管理装置とで構成された計測システムの制御方法であって、前記計測装置の各々において、前記被検出対象を検出するセンサ手段により、センサ値を出力されるセンシング工程と、前記センシング工程により出力された前記センサ値を処理して、演算値を出力する演算処理工程と、前記演算処理工程により出力された前記演算値に、前記板状計測装置を識別するための識別情報を付加した中継情報を、他の前記計測装置及び前記管理装置の少なくとも一方に送信するデータ送信工程とを備え、前記管理装置において、前記板状計測装置から送信された前記中継情報を受信する中継情報受信工程と、前記中継情報受信工程により受信された前記中継情報を、中継情報記憶手段に記憶させる中継情報記憶工程と、前記中継情報記憶工程により前記中継情報記憶手段に記憶された前記中継情報を処理する管理制御工程とを備えている。
【発明の効果】
【００１６】
請求項１に係る発明の計測システムでは、各計測装置において、センサ値から算出された演算値に識別情報を付加した中継情報を送信し、管理装置において、その中継情報を記憶及び処理するようにした。よって、各計測装置から管理装置にセンサ値を直接送信するよりも、計測装置と管理装置との間の通信トラフィックの負荷が低減されて、被分析エリアが広くなっても通信トラフィックの負荷を増加させることなく、管理装置でのデータ処理の負荷を低減することができる。
【００１７】
また、請求項２に係る発明の計測システムでは、請求項１に記載の発明の効果に加え、
各計測装置において、他の計測装置から受信した中継情報に識別情報を付加して転送するようにした。よって、中継情報が複数の計測装置間で転送されて管理装置に送信されるため、各計測装置から管理装置へ直接センサ値を送信するよりも、通信トラフィックの負荷が低減され、管理装置でのデータ処理の負荷を低減することができる。
【００１８】
また、請求項３に係る発明の計測システムでは、請求項２に記載の発明の効果に加え、各計測装置において受信された中継情報に演算値を反映させる処理を実行されるので、中継情報のデータ量を低減して、さらに通信トラフィックとデータ処理の負荷を低減することができる。
【００１９】
また、請求項４に係る発明の計測システムでは、請求項３に記載の発明の効果に加え、各計測装置において演算値が中継情報に付加されて、中継情報は経由した計測装置での演算値と識別情報とが含まれるようにした。よって、中継情報には複数の演算値が一つにまとめられているので、さらにデータ量を低減することができる。
【００２０】
また、請求項５に係る発明の計測システムでは、請求項３に記載の発明の効果に加え、各計測装置において中継情報に含まれる推論値が演算値に基づいて更新されて、中継情報は経由した各計測装置で更新された推論値が含まれるようにした。よって、中継情報には１つの推論値のみが含まれるので、さらにデータ量を低減することができる。
【００２１】
また、請求項６に係る発明の計測システムでは、請求項１又は２に記載の発明の効果に加え、各計測装置において、第１コマンド情報に対応する処理の内容を実行するとともに、その第１コマンド情報に識別情報を付加して他の計測装置に転送するようにした。よって、管理装置から送信された第１コマンド情報が複数の計測装置間で転送されていき、各計測装置で第１コマンド情報に対応する処理の内容が実行されるので、管理装置から各計測装置に直接コマンドが送信されるよりも、通信トラフィックの負荷を低減することができる。
【００２２】
また、請求項７に係る発明の計測システムでは、請求項１又は２に記載の発明の効果に加え、各計測装置において、第２コマンド情報に対応する計測項目について被検出対象を検出するとともに、その第２コマンド情報に識別情報を付加して他の計測装置に転送するようにした。よって、管理装置から送信された第２コマンド情報が複数の計測装置間で転送されていき、各計測装置で第２コマンド情報に対応する計測項目について被検出対象が検出されるので、管理装置から各計測装置に直接コマンドが送信されるよりも、通信トラフィックの負荷を低減することができる。
【００２３】
また、請求項８に係る発明の計測システムでは、請求項１乃至７のいずれかに記載の発明の効果に加え、計測装置の各々は、被検出対象を検出可能な位置に設置される板状の基板にセンサ手段が設けられた板状計測装置であるので、被分析エリア内の床面や壁面などに設置して、被検出対象を確実に計測することができる。
【００２４】
また、請求項９に係る発明の板状計測装置では、被検出対象を検出可能な位置に設置される板状の基板にセンサ手段が設けられて、センサ値から算出された演算値に識別情報を付加した中継情報を外部に送信するようにした。よって、各計測装置から外部に直接センサ値を送信するよりも、通信トラフィックの負荷を低減することができる。また、被分析エリア内の床面や壁面などに設置して、被検出対象を確実に計測することができる。
【００２５】
また、請求項１０に係る発明の計測制御プログラムでは、コンピュータを、センサ値から算出された演算値に識別情報を付加した中継情報を外部に送信するように機能させる。よって、各コンピュータから外部に直接センサ値を送信するよりも、通信トラフィックの負荷を低減することができる。
【００２６】
また、請求項１１に係る発明の計測システムの制御方法では、各計測装置において、センサ値から算出された演算値に識別情報を付加した中継情報を送信し、管理装置において、その中継情報を記憶及び処理するようにした。よって、各計測装置から管理装置にセンサ値を直接送信するよりも、計測装置と管理装置との間の通信トラフィックの負荷が低減されて、被分析エリアが広くなっても通信トラフィックの負荷を増加させることなく、管理装置でのデータ処理の負荷を低減することができる。
【発明を実施するための最良の形態】
【００２７】
以下、本発明の第１の実施の形態について説明する。本実施の形態に係る計測システム１は、被分析エリア内に存在する被検出対象を計測するためのタイル状センサ２と、タイル状センサ２から出力された情報が収集管理される管理装置３とで構成される。
【００２８】
まず、第１の実施の形態に係る計測システム１の構成について説明する。図１は、計測システム１についての全体構成図である。
【００２９】
図１に示すように、本実施の形態の計測システム１においては、工場や店舗のような被分析エリアの床面に、人間や物品などの被検出対象を計測するタイル状センサ２が、複数（図１では９つ）設置されている。そのため、被検出対象が被分析エリア内に存在する場合には、その被検出対象はいずれかのタイル状センサ２上に載置していることになる。
【００３０】
各タイル状センサ２は、板状の基板に複数の圧力センサが配置された構成をなし、人間や物品などの被検出対象がタイル状センサ２上に存在すると、その歩行者の足底や物品の底面により複数の圧力センサが押圧されて、各々の圧力センサからセンサ値が検出される。複数の圧力センサに各々対応するセンサ値が全て揃ったら、この複数のセンサ値の平均値が、演算値として算出される。
【００３１】
そして、他のタイル状センサ２から中継情報１００（図９参照）を受信している場合、その中継情報１００に演算値とタイル状センサ２に固有の識別情報とが付加されて、無線データとして外部に転送される。一方、他のタイル状センサ２から中継情報１００を受信していない場合、演算値とタイル状センサ２に固有の識別情報とを含む中継情報１００が、無線データとして外部に送信される。外部に送信又は転送された無線データは、近傍に存在する他のタイル状センサ２又は管理装置３に受信される。
【００３２】
管理装置３では、各タイル状センサ２から送信又は転送された複数の無線データ（中継情報１００）がタイル状センサ２ごとに記憶される。そして、必要に応じて中継情報１００が読み出されて、被分析エリア内に存在する被検出対象を分析したり、その分析結果を表示したりなどの各種処理が実行される。なお、上記処理の詳細は、後述する。
【００３３】
次に、タイル状センサ２の構成について説明する。図２は、タイル状センサ２の外観を示す斜視図である。図３は、タイル状センサ２の電気的構成を示すブロック図である。
【００３４】
図２に示すように、タイル状センサ２は、平面視、略正方形の薄板状の基板２１に複数の圧力センサ２３（図２では７つ）が略均等な間隔をあけて配置されている。基板２１は、ポリカーボネートやポリエチレンテレフタレートなどの合成樹脂で形成した、非可撓性の板状部材であり、その内部に制御回路基板２５，無線通信回路基板２７，アンテナ２８が設置される空間が形成されている。そして、基板２１の表面（上面）が被検出対象による押圧を受ける面として機能し、裏面（下面）が被分析エリアの床面に当接する面として機能する。
【００３５】
図３に示すように、タイル状センサ２では、各圧力センサ２３がタイル状センサ２の動作を全体制御する制御回路基板２５と接続されている。そして、制御回路基板２５が、無線データ（中継情報１００）を外部と送受信する無線通信回路基板２７と接続されている。なお、無線通信回路基板２７は、外部との無線通信を仲介するアンテナ２８と接続されている。
【００３６】
制御回路基板２５では、制御回路基板２５の制御を司るＣＰＵ２５１と、ＢＩＯＳや制御プログラム等を記憶したＲＯＭ２５２と、各種のデータを一時的に記憶するＲＡＭ２５３と、時間をカウントするタイマ２５４とに加え、切替回路２５５，アナログポート２５６，Ａ／Ｄ変換回路２５７，デジタルポート２５８，Ｉ／Ｆ回路２５９，ＥＥＰＲＯＭ２６０が電気的に接続されている。なお、ＲＡＭ２５３には、圧力センサ２３から出力されたセンサ値が格納されるデータバッファ（図示外）が２つ設けられており、一方のデータバッファの記憶領域を参照中は、他方のデータバッファにセンサ値が格納されるように切り替え制御される。また、ＥＥＰＲＯＭ２６０には、各タイル状センサ２に固有の識別情報が記憶されている。一方、無線通信回路基板２７では、制御回路基板２５と接続するためのインターフェイスであるＩ／Ｆ回路２７１と、アンテナ２８を介して外部の管理装置３との間でＲＦ送受信を実行するＲＦ回路２７２とが電気的に接続されている。
【００３７】
複数の圧力センサ２３で検出されたセンサ値が制御回路基板２５に出力されると、切替回路２５５によりそのセンサ値はアナログポート２５６に入力される。そして、Ａ／Ｄ変換回路２５７により、アナログポート２５６に入力されたセンサ値は、アナログデータからデジタルデータに変換されて、デジタルポート２５８から出力される。このデジタル変換されたセンサ値に基づいて、ＣＰＵ２５１により後述のメイン処理（図５）が実行されて中継情報１００が作成される。そして、無線通信回路基板２７と接続するためのインターフェイスであるＩ／Ｆ回路２５９を介して、その中継情報１００が無線通信回路基板２７側に出力される。無線通信回路基板２７側に入力された中継情報１００は、Ｉ／Ｆ回路２７１を介してＲＦ回路２７２に入力され、無線データとしてアンテナ２８を介して外部に送信される。
【００３８】
一方、アンテナ２８を介してＲＦ回路２７２により、他のタイル状センサ２から無線データが受信されると、その無線データが中継情報１００に変換された後、Ｉ／Ｆ回路２７１，２５９を介して制御回路基板２５側に出力される。制御回路基板２５では、ＣＰＵ２５１により後述のメイン処理（図５）が実行されて、この中継情報１００に固有の識別情報が付加されて、無線通信回路基板２７側に出力される。無線通信回路基板２７では、その中継情報１００が再び無線データとして、アンテナ２８を介して外部に転送される。
【００３９】
次に、管理装置３の構成について説明する。図４は、管理装置３の電気的構成を示すブロック図である。
【００４０】
管理装置３は、パーソナル・コンピュータやワークステーションなどのコンピュータ機器を用いて実装されており、アンテナ３１を介してタイル状センサ２と無線通信するための無線通信装置３２と、無線通信装置３２において受信された中継情報１００を記憶して管理する装置本体３３とで構成される。
【００４１】
図４に示すように、管理装置３では、以下のように各構成が電気的に接続されている。まず、無線通信装置３２は、アンテナ３１を介して外部のタイル状センサ２との間でＲＦ送受信を実行するＲＦ回路３２１と、装置本体３３と接続するためのインターフェイスであるＩ／Ｆ回路３２２とが電気的に接続されている。そして、アンテナ３１を介してＲＦ回路３２１で受信された無線データが中継情報１００に変換された後、Ｉ／Ｆ回路３２２を介して装置本体３３側に出力される。
【００４２】
一方、装置本体３３では、ＣＰＵ３３１，ＲＯＭ３３２，ＲＡＭ３３３，タイマ３３６に加え、装置本体３３を操作するための入力装置３３４と、各種データを表示する表示装置３３５と、ＣＰＵ３３１で実行される制御プログラムやその他の各種情報が記憶されるＨＤＤ３３７と、無線通信装置３２と接続するためのインターフェイスであるＩ／Ｆ回路３３８と、管理装置３に固有の識別情報などが記憶されたＥＥＰＲＯＭ３３９とが電気的に接続されている。そして、Ｉ／Ｆ回路３３８を介して入力された中継情報１００は、ＨＤＤ３３７の所定の記憶領域に記憶・管理される。ＨＤＤ３３７内の中継情報１００は、後述のように、被分析エリア内に存在する被検出対象の分析に用いられる。
【００４３】
次に、本発明の計測システム１で実行される処理の流れを、タイル状センサ２で実行される処理と、管理装置３で実行される処理とに分けて説明する。
【００４４】
まず、タイル状センサ２で実行される処理について説明する。図５は、タイル状センサ２のメイン処理を示すフローチャートである。図６は、サンプリング処理の詳細を示すフローチャートである。図７は、データ受信処理の詳細を示すフローチャートである。図８は、統計／推論処理の詳細を示すフローチャートである。図９は、中継情報１００のデータ構成を示す図である。図１０は、データ転送処理の詳細を示すフローチャートである。なお、タイル状センサ２のメイン処理（図５）は、タイル状センサ２に電源が投入され、被分析エリア内の被検出対象の計測が開始されると、ＲＯＭ２５２に記憶された制御プログラムに基づいてＣＰＵ２５１により実行される。
【００４５】
図５に示すように、タイル状センサ２のメイン処理では、まずＲＡＭ２５３やタイマ２５４のクリア等を行って、タイル状センサ２をデフォルト状態に戻す初期化処理が実行される（Ｓ１）。そして、中継情報１００のルーティング経路を定義した中継テーブル（図示外）を設定する中継テーブル設定処理の起動（Ｓ２）が実行され、圧力センサ２３から出力されるセンサ値を取得するためのサンプリング処理の起動（Ｓ３）が実行され、さらに、他のタイル状センサ２から送信又は転送された中継情報１００を受信するデータ受信処理の起動（Ｓ４）が実行される。
【００４６】
Ｓ２で起動された中継テーブル設定処理は、メイン処理（図５）と並行して実行されるものであり、メイン処理（図５）の開始時には、ＥＥＰＲＯＭ２６０にあらかじめ記憶されたデフォルトの中継テーブルが読み出されて、ＲＡＭ２５３の所定記憶エリアに記憶される。また、メイン処理（図５）の開始後は、管理装置３から中継テーブルの更新が指示されると、ＲＡＭ２５３に記憶された中継テーブルが、管理装置３から指示された内容に更新される。そして、ＲＡＭ２５３に記憶された中継テーブルに基づいて、後述のデータ転送処理（図１０）において、中継情報１００を転送すべきか否かが決定される。
【００４７】
本実施の形態では、中継情報１００が経由したタイル状センサ２の識別情報が、ＳＲＣ＿ＩＤとして格納されている。そして、タイル状センサ２の中継テーブルに定義されているルーティング経路に、中継情報１００のＳＲＣ＿ＩＤが存在する場合は、当該中継情報１００は他のタイル状センサ２に転送される。例えば、識別情報「１」と識別情報「２」の２つのタイル状センサ２を経由した中継情報１００には、ＳＲＣ＿ＩＤ「１，２」が格納される。そして、識別情報「３」のタイル状センサ２がこの中継情報１００を受信した場合、その中継テーブルにルーティング経路「１，２」が定義されていれば、その中継情報１００はさらに外部に転送される。なお、中継テーブル設定処理（Ｓ２）は、公知のルーティング経路の設定に関する技術を用いればよい（例えば、特開２００４−２５４２３７号公報や特開２００４−３２３９１号公報等を参照）。
【００４８】
図６に示すように、Ｓ３で起動されたサンプリング処理では、あらかじめ定められたサンプリング時間がタイマ２５４にセットされ、タイマ２５４によるカウントが起動される（Ｓ２１）。そして、そのタイマ２５４によるカウントがサンプリング時間を経過したか否かが判定され（Ｓ２３）、サンプリング時間を経過していない場合（Ｓ２３：ＮＯ）、所定時間のウエイトがなされて（Ｓ２５）、Ｓ２３に戻る。一方、サンプリング時間を経過した場合（Ｓ２３：ＹＥＳ）、当該サンプリング時間中に複数の圧力センサ２３（図２では７つ）で検出されたセンサ値の全てが、Ａ／Ｄ変換されたか否かが判定される（Ｓ２７）。
【００４９】
全てのセンサ値をＡ／Ｄ変換していない場合（Ｓ２７：ＮＯ）、すなわちアナログデータのセンサ値が存在する場合は、そのセンサ値をアナログポート２５６への入力に切り替える（Ｓ２９）。すると、アナログポート２５６へ入力されたセンサ値は、Ａ／Ｄ変換回路２５７によりデジタルデータに変換されて、デジタルポート２５８から出力される。そして、デジタルポート２５８から出力されたセンサ値が読み込まれて（Ｓ３１）、ＲＡＭ２５３の所定のデータバッファ（図示外）へ保存されて（Ｓ３３）、Ｓ２７に戻る。これにより、圧力センサ２３から出力されてデジタル変換された複数のセンサ値は、データバッファ（図示外）にリスト状に記憶される。本実施の形態では、７つの圧力センサ２３の各々から出力される７つのセンサ値の全てが、このデータバッファに格納されるまで、Ｓ２７：ＮＯ〜Ｓ３３の処理が繰り返し実行される。
【００５０】
一方、全てのセンサ値をＡ／Ｄ変換している場合（Ｓ２７：ＹＥＳ）、センサ値のサンプリング完了を示すＲＡＭ２５３内の「準備完了フラグ」が「ＯＮ」にセットされ（Ｓ３５）、Ｓ２３に戻る。すなわち、全ての圧力センサ２３の各々から出力されたセンサ値がデータバッファ（図示外）に格納されている場合は、「準備完了フラグ」を「ＯＮ」にセットして、次のサンプリングが実行される。
【００５１】
このように、サンプリング処理（図６）では、メイン処理（図５）と並行して、複数の圧力センサ２３から出力されたセンサ値を、デジタル変換してデータバッファ（図示外）に格納する処理が、サンプリング時間ごとに繰り返し実行される。なお、データバッファ（図示外）にリスト状に格納された複数のセンサ値をセンサ値リストとよぶ。
【００５２】
図７に示すように、Ｓ４で起動されたデータ受信処理では、他のタイル状センサ２から送信又は転送された無線データを、アンテナ２８を介して受信したか否かが判定される（Ｓ４１）。無線データを受信した場合（Ｓ４１：ＹＥＳ）、その無線データがＲＦ回路２７２によって中継情報１００に変換される（Ｓ４３）。そして、ＲＡＭ２５３に記憶された中継テーブルに、当該中継情報１００のＳＲＣ＿ＩＤが存在するか否かが判定される（Ｓ４５）。中継テーブルにＳＲＣ＿ＩＤが存在する場合（Ｓ４５：ＹＥＳ）、他のタイル状センサ２に転送すべき中継情報１００を受信したことを示す、ＲＡＭ２５３内の「受信フラグ」が「ＯＮ」にセットされる（Ｓ４７）。一方、中継テーブルにＳＲＣ＿ＩＤが存在しない場合（Ｓ４５：ＮＯ）、当該中継情報１００は転送する必要がないため破棄される（Ｓ４９）。無線データを受信していない場合や（Ｓ４１：ＮＯ）、Ｓ４７又はＳ４９の後は、Ｓ４１に戻って次の無線データの受信を待ち受ける。
【００５３】
このように、データ受信処理（図７）では、メイン処理（図５）と並行して、他のタイル状センサ２から受信した無線データを中継情報１００に変換した後に、当該中継情報１００のＳＲＣ＿ＩＤが中継テーブルに存在する場合は「受信フラグ」を「ＯＮ」にし、存在しない場合は当該中継情報１００を破棄する処理が、無線データを受信するごとに繰り返し実行される。
【００５４】
メイン処理（図５）に戻り、ＲＡＭ２５３内の「準備完了フラグ」が「ＯＮ」であるか否かが判定される（Ｓ５）。「準備完了フラグ」が「ＯＮ」の場合は（Ｓ５：ＹＥＳ）、センサ値のサンプリングが完了しているから、サンプリング処理（図６）で使用されるデータバッファ（図示外）が他方のものに切り替えられる（Ｓ７）。そして、データバッファ（図示外）内のセンサ値リストに基づいて演算値が算出される統計／推論処理（Ｓ９）が実行される。
【００５５】
図８に示すように、Ｓ９で呼ばれる統計／推論処理では、まずデータバッファ（図示外）に格納されたセンサ値リストに基づいて、演算値が算出される（Ｓ６１）。本実施の形態では、センサ値リストに格納された７つのセンサ値の平均値が、演算値として算出される。そして、ＲＡＭ２５３に記憶されている「送信中フラグ」が「ＯＮ」であるか否かが判定される（Ｓ６３）。「送信中フラグ」は、後述のデータ送信処理（図５のＳ１３，図１０のＳ８９参照）が実行中であるか否かを示すフラグである。
【００５６】
「送信中フラグ」が「ＯＮ」である場合（Ｓ６３：ＹＥＳ）、データ送信処理の実行中であるから、所定時間のウエイトを実行して（Ｓ６５）、データ送信処理の終了を、Ｓ６３で待ち受ける。一方、「送信中フラグ」が「ＯＦＦ」である場合（Ｓ６３：ＮＯ）、データ送信処理は実行されていないから、次のように各種データが格納された中継情報１００が作成される。すなわち、ＥＥＰＲＯＭ２６０に記憶される各タイル状センサ２に固有の識別情報が、中継情報１００のＳＲＣ＿ＩＤにセットされ（Ｓ６７）、ＲＡＭ２５３に記憶される送信先の管理装置３に固有の識別情報が、中継情報１００のＤＳＴ＿ＩＤにセットされ（Ｓ６９）、Ｓ６１で算出された演算値が中継情報１００にセットされる（Ｓ７１）。
【００５７】
図９に示すように、中継情報１００は、Ｓ６７〜Ｓ７１により各種データ（ＳＲＣ＿ＩＤ，ＤＳＴ＿ＩＤ，演算値）がセットされている。例えば、ＳＲＣ＿ＩＤ＝「１」は、識別番号「１」のタイル状センサ２が送信元であり、ＤＳＴ＿ＩＤ＝「０」は、識別番号「０」の管理装置３が送信先であることを示している。また、演算値には、先述のように、センサ値リストに格納された複数のセンサ値の平均値（例えば、「８０」）が含まれている。
【００５８】
メイン処理（図５）に戻り、「準備完了フラグ」が「ＯＦＦ」にセットされる（Ｓ１１）。なお、「ＯＦＦ」にセットされた「準備完了フラグ」は、サンプリング処理（図６）でのサンプリング完了によって、再び「ＯＮ」にセットされることになる。その後、統計／推論処理（図８）で作成された中継情報１００を、外部に送信するデータ送信処理の起動が実行される（Ｓ１３）。
【００５９】
Ｓ１３で起動されたデータ送信処理では、まず「送信中フラグ」が「ＯＮ」にセットされる。そして、統計／推論処理（図８）で作成された中継情報１００が、ＲＦ回路２７２により無線データに変換されて、アンテナ２８を介して外部に送信される。その後、「送信中フラグ」が「ＯＦＦ」にセットされて、メイン処理（図５）に戻る。なお、データ送信処理では、データ送信が完了するまで「送信中フラグ」が「ＯＮ」状態であるため、その間に重複して統計／推論処理（図８）で新たな中継情報１００が作成されることはない。このように、データ送信処理では、サンプリング処理（図６）でセンサ値のサンプリングが完了するごとに、各種データ（ＳＲＣ＿ＩＤ，ＤＳＴ＿ＩＤ，演算値）を含む中継情報１００が、無線データとして外部に送信される。
【００６０】
一方、「準備完了フラグ」が「ＯＦＦ」の場合（Ｓ５：ＮＯ）及びデータ送信処理の起動（Ｓ１３）の後は、「受信フラグ」が「ＯＮ」であるか否かが判定される（Ｓ１５）。「受信フラグ」が「ＯＮ」である場合（Ｓ１５：ＹＥＳ）、データ受信処理（図７）において中継情報１００を受信しているから、当該中継情報１００を外部へ転送するデータ転送処理の起動（Ｓ１７）が実行される。
【００６１】
図１０に示すように、Ｓ１７で起動されたデータ転送処理では、データ受信処理（図７）において受信された中継情報１００が取得されて（Ｓ８１）、「送信中フラグ」が「ＯＮ」であるか否かが判定される。「送信中フラグ」が「ＯＮ」である場合（Ｓ８３：ＹＥＳ）、データ送信処理（図５のＳ１３，図１０のＳ８９参照）の実行中であるから、所定時間のウエイトを実行して（Ｓ８５）、データ送信処理の終了を、Ｓ８３で待ち受ける。一方、「送信中フラグ」が「ＯＦＦ」である場合（Ｓ８３：ＮＯ）、データ送信処理は実行されていないから、各タイル状センサ２に固有の識別情報が、Ｓ８１で取得された中継情報１００のＳＲＣ＿ＩＤにセットされ（Ｓ８７）、この中継情報１００を外部に転送するデータ送信処理の起動が実行される（Ｓ８９）。Ｓ８９で起動されたデータ送信処理の詳細は、先述のＳ１３で起動されたデータ送信処理と同様である。このように、データ転送処理（図１０）では、データ受信処理（図７）で転送すべき中継情報１００を受信するごとに、その中継情報１００に固有の識別情報を付加されて、無線データとして外部に転送される。
【００６２】
メイン処理（図５）に戻り、「受信フラグ」が「ＯＦＦ」の場合（Ｓ１５：ＮＯ）及びデータ転送処理の起動（Ｓ１７）の後は、Ｓ５に戻る。そして、再び、サンプリング処理（図６）でセンサ値のサンプリングが完了すると、新たな中継情報１００が無線データとして外部に送信され、データ受信処理（図７）で転送すべき中継情報１００を受信すると、その中継情報１００が無線データとして外部に転送されることになる。
【００６３】
次に、管理装置３で実行される処理について説明する。図１１は、管理装置３のメイン処理を示すフローチャートである。図１２は、中継情報受信処理の詳細を示すフローチャートである。なお、管理装置３のメイン処理（図１１）は、管理装置３に電源が投入され、各タイル状センサ２から出力される無線データ（中継情報１００）の収集・管理が開始されると、ＨＤＤ３３７に記憶された制御プログラムに基づいてＣＰＵ３３１により実行される。
【００６４】
図１１に示すように、管理装置３のメイン処理では、まずＲＡＭ３３３やタイマ３３６のクリア等を行って、装置本体３３をデフォルト状態に戻す初期化処理が実行される（Ｓ１０１）。そして、各タイル状センサ２から転送又は送信される無線データを受信するための中継情報受信処理の起動が実行される（Ｓ１０３）。
【００６５】
図１２に示すように、Ｓ１０３で起動された中継情報受信処理では、各タイル状センサ２から転送又は送信された無線データを、アンテナ３１を介して受信したか否かが判定される（Ｓ１２１）。無線データを受信した場合（Ｓ１２１：ＹＥＳ）、その無線データがＲＦ回路３２１によって中継情報１００に変換されて（Ｓ１２３）、ＥＥＰＲＯＭ３３９から管理装置３に固有の識別情報が読み出される（Ｓ１２５）。一方、無線データを受信していない場合（Ｓ１２１：ＮＯ）、無線データを受信するまで、Ｓ１２１で待ち状態となる。
【００６６】
そして、Ｓ１２３で取得された中継情報１００に含まれるＤＳＴ＿ＩＤと、Ｓ１２５で読み出された識別情報が一致するか否かが判定される（Ｓ１２７）。ＤＳＴ＿ＩＤと管理装置３の識別情報とが一致しない場合（Ｓ１２７：ＹＥＳ）、当該中継情報１００はこの管理装置３宛てに送信されたものではないから破棄される（Ｓ１２９）。一方、ＤＳＴ＿ＩＤと管理装置３の識別情報とが一致する場合（Ｓ１２７：ＮＯ）、当該中継情報１００はこの管理装置３宛てに送信されたものであるから、ＨＤＤ３３７の中継情報記憶エリア（図示外）に、送信元のタイル状センサ２ごとに保存される（Ｓ１３１）。Ｓ１２９又はＳ１３１の後はＳ１２１へ戻り、次の無線データの受信を待ち受ける。
【００６７】
このように、中継情報受信処理（図１２）では、メイン処理（図１１）と並行して、各タイル状センサ２から受信した無線データを中継情報１００に変換して、ＨＤＤ３３７の中継情報記憶エリア（図示外）に保存する処理が、無線データを受信するごとに繰り返し実行される。
【００６８】
メイン処理（図１１）に戻り、中継情報受信処理（図１２）で中継情報情報記憶エリア（図示外）に保存された中継情報１００が更新されたか否かが判定され（Ｓ１０５）、中継情報１００が更新されていなければ（Ｓ１０５：ＮＯ）、中継情報１００が更新されるまでＳ１０５で待ち状態となる。一方、中継情報１００が更新されていれば（Ｓ１０５：ＹＥＳ）、中継情報記憶エリア（図示外）に保存された中継情報１００に基づいて、各タイル状センサ２上（被分析エリア内）に存在する被検出対象の種別，数量，位置，大きさ，形状などの情報及びその変遷が分析されるデータ分析処理が実行される（Ｓ１０７）。そして、Ｓ１０７での分析結果を、表示装置３３５に表示させるデータ表示処理（Ｓ１０９）と、ＨＤＤ３３７の分析結果記憶エリア（図示外）に保存させる分析結果保存処理（Ｓ１１１）とが実行されて、Ｓ１０５に戻る。なお、Ｓ１０７〜Ｓ１１１での各処理は、公知のデータ表示技術やセンサ値分析技術などを用いて実現すればよいため、詳細は省略する。
【００６９】
このように、管理装置３のメイン処理のＳ１０７〜Ｓ１１１では、中継情報受信処理（図１２）により保存される最新の中継情報１００及びその履歴に基づいて、各タイル状センサ２上（被分析エリア内）に存在する被検出対象が分析され、その分析結果が表示及び保存される処理が、定期的に繰り返し実行される。
【００７０】
次に、本実施の形態の計測システム１における、データ送受信の流れについて説明する。図１３は、計測システム１でのデータ送受信の流れを説明するためのフローチャートである。以下では、３つのタイル状センサ２と１つの管理装置３により構成された計測システム１を例示して説明する。
【００７１】
図１３に示す計測システム１では、タイル状センサ２「１」がタイル状センサ２「２」と無線通信可能な位置に設置され、タイル状センサ２「２」がタイル状センサ２「３」と無線通信可能な位置に設置され、タイル状センサ２「３」が管理装置３と無線通信可能な位置に設置されている。タイル状センサ２「１」〜「３」の中継テーブルには、それぞれルーティング経路として「ＥＯＦ」、「１」、「１，２」が定義されている。「ＥＯＦ」は、ルーティング経路が設定されていないことを示す。
【００７２】
まず、タイル状センサ「１」では、センサ値のサンプリングが完了してデータ送信処理が実行されると、無線データ（中継情報１００）が外部に送信される（Ｓ１４１）。この無線データ（中継情報１００）には、「ＳＲＣ＿ＩＤ」として送信元のタイル状センサ２「１」の識別情報「１」がセットされ、「ＤＳＴ＿ＩＤ」として送信先の管理装置３の識別情報「０」がセットされ、「演算値」にはタイル状センサ２「１」で算出された演算値「Ａ」が設定されている。Ｓ１４１で送信された無線データ（中継情報１００）が、近傍のタイル状センサ２「２」に受信されると、その中継テーブルにＳＲＣ＿ＩＤ「１」が存在するから（Ｓ１４３）、そのＳＲＣ＿ＩＤに識別情報「２」がセットされ（Ｓ１４５）、外部に転送される（Ｓ１４７，Ｓ１４９）。
【００７３】
Ｓ１４７で転送された無線データ（中継情報１００）が、近傍のタイル状センサ２「１」に受信されると、その中継テーブルにＳＲＣ＿ＩＤ「１，２」は存在しないから（Ｓ１５１）、受信データが破棄される（Ｓ１５３）。一方、Ｓ１４９で転送された無線データ（中継情報１００）が、近傍のタイル状センサ２「３」に受信されると、その中継テーブルにＳＲＣ＿ＩＤ「１，２」が存在するから（Ｓ１５５）、そのＳＲＣ＿ＩＤに識別情報「３」がセットされ（Ｓ１５７）、外部に転送される（Ｓ１５９，Ｓ１６１）。
【００７４】
Ｓ１５９で転送された無線データ（中継情報１００）が、近傍のタイル状センサ２「２」に受信されると、その中継テーブルにＳＲＣ＿ＩＤ「１，２，３」は存在しないから（Ｓ１６３）、受信データが破棄される（Ｓ１６５）。一方、Ｓ１６１で転送された無線データ（中継情報１００）が、近傍の管理装置３に受信されると、ＤＳＴ＿ＩＤ「０」がその識別情報「０」と一致するから（Ｓ１６７）、受信データが保存及び処理される（Ｓ１６９）。
【００７５】
このように、本実施の形態の計測システム１において、各タイル状センサ２では、センサ値のサンプリングが完了すると無線データ（中継情報１００）が外部に送信される一方、無線データ（中継情報１００）を受信するとその無線データ（中継情報１００）が外部に転送される。各タイル状センサ２から送信又は転送された無線データ（中継情報１００）が、他のタイル状センサ２により受信された場合は、その無線データ（中継情報１００）はさらに外部に転送される一方、管理装置３により受信された場合は、その無線データ（中継情報１００）は記憶及び処理される。その結果、各タイル状センサ２から出力される中継情報１００は、直接又はリレー方式で管理装置３に送信されるため、全ての中継情報１００が管理装置３にて収集管理される。
【００７６】
以上、本実施の形態の計測システム１によれば、各タイル状センサ２において、センサ値リストに基づいて複数のセンサ値の平均値（演算値）を算出し、この演算値に識別情報を付加した中継情報１００を送信するようにした。よって、センサ値から算出された演算値が、各タイル状センサ２から管理装置３に送信されるため、各タイル状センサ２と管理装置３との間の通信トラフィックの負荷が低減されて、被分析エリアが広くなっても通信トラフィックの負荷を増加させることなく、管理装置３でのデータ処理の負荷を低減することができる。
【００７７】
また、各タイル状センサ２において、他の各タイル状センサ２から受信した中継情報１００に自身の識別情報を付加して転送するようにした。よって、中継情報１００が複数のタイル状センサ２間で転送されるリレー方式で管理装置３に送信されるため、各タイル状センサ２から管理装置３へ直接センサ値を送信するよりも、さらに通信トラフィック及びデータ処理の負荷を低減することができる。
【００７８】
また、各タイル状センサ２は、被検出対象を検出可能な位置に設置される板状の基板２１に複数の圧力センサ２３が設けられた構成であるので、被分析エリア内の床面や壁面などに設置して、被検出対象を確実に計測することができる。
【００７９】
次に、本発明の第２の実施の形態について説明する。本実施の形態に係る計測システム１は、基本的に第１の実施の形態のものと同様であるが、中継情報１００に複数の演算値が一体にまとめられている点が異なる。図１４は、第２の実施の形態における、タイル状センサ２のメイン処理を示すフローチャートである。図１５は、第２の実施の形態における、データ転送処理の詳細を示すフローチャートである。図１６は、第２の実施の形態における、計測システム１でのデータ送受信の流れを説明するためのフローチャートである。以下では、第１の実施の形態と異なる点のみを説明する。
【００８０】
図１４に示すように、タイル状センサ２のメイン処理では、第１の実施の形態（図５）と同様に、初期化処理（Ｓ２０１），中継テーブル設定処理の起動（Ｓ２０２），サンプリング処理の起動（Ｓ２０３），データ受信処理の起動（Ｓ２０４）が実行される。そして、「準備完了フラグ」が「ＯＮ」である場合（Ｓ２０５：ＹＥＳ）、サンプリング処理での使用中データバッファが切り替えられる（Ｓ２０７）。
【００８１】
次に、「受信フラグ」が「ＯＮ」であるか否かが判定される（Ｓ２０９）。「受信フラグ」が「ＯＦＦ」である場合は（Ｓ２０９：ＮＯ）、統計／推論処理（Ｓ２１１），「準備完了フラグ」を「ＯＦＦ」（Ｓ２１３），データ送信処理（Ｓ２１５）が実行されて、中継情報１００が外部に送信される。一方、「受信フラグ」が「ＯＮ」である場合は（Ｓ２０９：ＹＥＳ）、以下のデータ転送処理の起動が実行される（Ｓ２１７）。なお、「準備完了フラグ」が「ＯＦＦ」である場合（Ｓ２０５：ＮＯ）や、データ送信処理の起動（Ｓ２１５）又はデータ転送処理の起動（Ｓ２１７）の実行後は、Ｓ２０５に戻ってサンプリング完了を待ち受ける。
【００８２】
図１５に示すように、Ｓ２１７で起動されたデータ転送処理では、第１の実施の形態（図１０）と同様に、中継情報１００が取得されて（Ｓ２２１）、「送信中フラグ」が「ＯＮ」である場合（Ｓ２２３：ＹＥＳ）、所定時間のウエイトを実行する（Ｓ２２５）。一方、「送信中フラグ」が「ＯＦＦ」である場合は（Ｓ２２３：ＮＯ）、統計／推論処理（図８）のＳ６１と同様に、データバッファ（図示外）に格納されたセンサ値リストに基づいて演算値が算出される（Ｓ２２７）。そして、各タイル状センサ２に固有の識別情報が、Ｓ２２１で取得された中継情報１００のＳＲＣ＿ＩＤにセットされ（Ｓ２２９）、さらにＳ２２７で算出された演算値がこの中継情報１００にセットされ（Ｓ２３１）、「準備完了フラグ」が「ＯＦＦ」にセットされ（Ｓ２３２）、外部に転送するデータ送信処理の起動が実行される（Ｓ２３３）。
【００８３】
図１６に示すように、本実施の形態の計測システム１は、第１の実施の形態（図１３）と同様にデータ送受信されるが、以下の点で異なる。すなわち、タイル状センサ２「１」から送信された中継情報１００を受信したタイル状センサ２「２」では、そのＳＲＣ＿ＩＤに識別情報「２」が追加されるとともに、タイル状センサ２「２」での演算値「Ｂ」が追加される（Ｓ２４５）。また、タイル状センサ２「２」から転送された中継情報１００を受信したタイル状センサ２「３」では、そのＳＲＣ＿ＩＤに識別情報「３」が追加されるとともに、タイル状センサ２「３」での演算値「Ｃ」が追加される（Ｓ２５７）。その結果、タイル状センサ２「３」から管理装置３に転送される中継情報１００には、タイル状センサ２「１」〜「３」の各識別情報及び演算値が格納されており、管理装置３ではこの中継情報１００が保存及び処理される（Ｓ２６９）。なお、その他の処理は、図１３に示すものと同様であるため、説明は省略する。
【００８４】
このように、本実施形態のタイル状センサ２のメイン処理（図１４）では、センサ値のサンプリングが完了するごとに、外部に中継情報１００を送信又は転送する処理が実行される。そして、データ転送処理（図１５）では、転送すべき中継情報１００に自身の演算値と識別情報とが付加されるため、管理装置３に送信される中継情報１００には、経由した全てのタイル状センサ２の演算値及び識別情報が格納される。
【００８５】
以上、本実施の形態の計測システム１によれば、各タイル状センサ２において演算値及び識別情報が中継情報１００に付加されて、中継情報１００には経由した複数のタイル状センサ２の演算値及び識別情報が格納される。すなわち、中継情報１００には複数の演算値が一体にまとめられているので、中継情報１００のデータ量を低減して、各タイル状センサ２と管理装置３との通信トラフィックや、管理装置３でのデータ処理の負荷を低減することができる。
【００８６】
次に、本発明の第３の実施の形態について説明する。本実施の形態に係る計測システム１は、基本的に第２の実施の形態のものと同様であるが、中継情報１００に１つの推論値のみが格納されている点が異なる。図１７は、第３の実施の形態における、データ転送処理の詳細を示すフローチャートである。図１８は、第３の実施の形態における、計測システム１でのデータ送受信の流れを説明するためのフローチャートである。以下では、第２の実施の形態と異なる点のみを説明する。
【００８７】
本実施形態のタイル状センサ２のメイン処理は、第２の実施の形態（図１４）と同じであり、センサ値のサンプリングが完了し（Ｓ２０５：ＹＥＳ）、かつ中継情報１００を受信していない場合（Ｓ２０９：ＮＯ）、統計／推論処理（Ｓ２１１）が実行される。しかし、本実施形態の統計／推論処理（図８）では、演算値が「推論値」として中継情報１００にセットされて、その中継情報１００が外部に送信される（Ｓ２１５）。一方、中継情報１００を受信している場合（Ｓ２０９：ＹＥＳ）、以下のデータ転送処理の起動が実行される（Ｓ２１７）。
【００８８】
図１７に示すように、Ｓ２１７で起動されたデータ転送処理では、第２の実施の形態（図１５）と同様に、中継情報１００が取得されて（Ｓ３０１）、「送信中フラグ」が「ＯＮ」である場合（Ｓ３０３：ＹＥＳ）、所定時間のウエイトを実行する（Ｓ３０５）。一方、「送信中フラグ」が「ＯＦＦ」である場合は（Ｓ３０３：ＮＯ）、Ｓ３０１で取得された中継情報１００の推論値（Ａ）が取得される（Ｓ３０７）。そして、データバッファ（図示外）に格納されたセンサ値リストに基づいて演算値（ａ）が算出される（Ｓ３０９）。この演算値（ａ）も、第２の実施の形態における演算値と同じく、センサ値リストを構成する複数のセンサ値の平均値である。さらに、Ｓ３０１で取得された中継情報１００のＳＲＣ＿ＩＤのＩＤ数（ｎ）がカウントされ（Ｓ３１１）、推論値（Ａ）にＩＤ数（ｎ）を乗じて演算値（ａ）を加算した値を、ＩＤ数（ｎ）に１加算した値で除算することで、新たな推論値（Ａ´）が算出される（Ｓ３１３）。すなわち、Ｓ３０７〜Ｓ３１１では、これまで経由した複数のタイル状センサ２で算出された演算値の平均値が、「推論値」として算出される。その後、各タイル状センサ２に固有の識別情報が、Ｓ３０１で取得された中継情報１００のＳＲＣ＿ＩＤにセットされ（Ｓ３１５）、この中継情報１００の推論値（Ａ）が演算値（Ａ´）に更新され（Ｓ３１７）、「準備完了フラグ」が「ＯＦＦ」にセットされて（Ｓ３１８）、外部に転送するデータ送信処理の起動が実行される（Ｓ３１９）。
【００８９】
図１８に示すように、本実施の形態の計測システム１は、第２の実施の形態（図１６）と同様にデータ送受信されるが、以下の点で異なる。すなわち、タイル状センサ２「１」から送信された中継情報１００には、推論値（演算値）「Ｘ」が格納されている（Ｓ３４１）。そして、この中継情報１００を受信したタイル状センサ２「２」では、そのＳＲＣ＿ＩＤに識別情報「２」が追加されるとともに、推論値「Ｘ」が新たな推論値「Ｙ」に更新される（Ｓ３４５）。また、タイル状センサ２「２」から転送された中継情報１００を受信したタイル状センサ２「３」では、そのＳＲＣ＿ＩＤに識別情報「３」が追加されるとともに、推論値「Ｙ」が新たな推論値「Ｚ」に更新される（Ｓ３５７）。その結果、タイル状センサ２「３」から管理装置３に転送される中継情報１００には、タイル状センサ２「１」〜「３」の各識別情報及び１つの推論値「Ｚ」が格納されており、管理装置３ではこの中継情報１００が保存及び処理される（Ｓ３６９）。なお、その他の処理は、図１６に示すものと同様であるため、説明は省略する。
【００９０】
このように、本実施形態のタイル状センサ２のメイン処理（図１４参照）では、センサ値のサンプリングが完了するごとに、外部に中継情報１００を送信又は転送する処理が実行される。そして、転送処理（図１７）では、転送すべき中継情報１００に識別情報が付加され、かつ推論値が更新されるため、管理装置３に送信される中継情報１００には、経由した全てのタイル状センサ２の識別情報と１つの推論値とが格納される。
【００９１】
以上、本実施の形態の計測システム１によれば、各タイル状センサ２において中継情報１００に識別情報が付加され、かつ推論値が更新されるため、中継情報１００には経由した複数のタイル状センサ２での識別情報及び１つの推論値が格納される。よって、中継情報１００には１つの推論値のみが格納されるので、中継情報１００のデータ量を低減して、各タイル状センサ２と管理装置３との通信トラフィックや、管理装置３でのデータ処理の負荷を低減することができる。
【００９２】
次に、本発明の第４の実施の形態について説明する。本実施の形態に係る計測システム１は、基本的に第１の実施の形態のものと同様であるが、管理装置３からタイル状センサ２に演算方法を設定するためのコマンドが送信される点が異なる。図１９は、第４の実施の形態における、データ受信処理の詳細を示すフローチャートである。図２０は、コマンド２００のデータ構成を示す図である。図２１は、演算モード指示コマンドを説明するための図である。図２２は、第４の実施の形態における、統計／推論処理の詳細を示すフローチャートである。
【００９３】
本実施の形態では、例えば、管理装置３の入力装置３３４等から各タイル状センサ２での演算モードの指定や変更などが入力されると、演算モードを指示するコマンド２００が外部に送信される。そして、管理装置３の近傍に存在するタイル状センサ２がコマンド２００を受信すると、統計／推論処理（図２２）で実行される演算モードがコマンド２００に基づいて設定され、コマンド２００がさらに外部に転送される。コマンド２００は複数のタイル状センサ２の間で転送されていき、各タイル状センサ２では所定の演算モードが設定されて、その演算モードに応じて処理された演算値が取得される。
【００９４】
タイル状センサ２のメイン処理は、第１の実施の形態（図５）と同様であり、初期化処理（Ｓ１），中継テーブル設定処理の起動（Ｓ２），サンプリング処理の起動（Ｓ３）が実行される。しかしながら、Ｓ４で起動されるデータ受信処理は、第1の実施の形態（図７）と異なる。
【００９５】
図１９に示すように、Ｓ４で起動されるデータ受信処理では、管理装置３から送信又は他のタイル状センサ２から転送された無線データを、アンテナ２８を介して受信したか否かが判定される（Ｓ４０１）。無線データを受信した場合（Ｓ４０１：ＹＥＳ）、その無線データがＲＦ回路２７２によって元のデータフォーマットに変換され（Ｓ４０３）、そのデータフォーマットがコマンド２００であるか否かが判定される（Ｓ４０５）。
【００９６】
図２０に示すように、コマンド２００は、管理装置３において各種データ（ＳＲＣ＿ＩＤ，ＤＳＴ＿ＩＤ，Ｃｏｍｍａｎｄ）がセットされている。例えば、ＳＲＣ＿ＩＤ＝「０」は、識別番号「０」の管理装置３が送信元であり、ＤＳＴ＿ＩＤ＝「ＦＦ」は、全てのタイル状センサ２が送信先であることを示している。また、統計／推論処理（図２２）で実行される演算モードを指定するための演算モード指示コマンド（Ｃｏｍｍａｎｄ）として「ＡＶＧ」がセットされているが、詳細は後述する。
【００９７】
コマンド２００でない場合（Ｓ４０５：ＮＯ）、その受信データは中継情報１００であるから、第１の実施の形態（図７）と同様に、中継テーブルにＳＲＣ＿ＩＤが存在する場合（Ｓ４０７：ＹＥＳ）、「受信フラグ」が「ＯＮ」にセットされ（Ｓ４０９）、中継テーブルにＳＲＣ＿ＩＤが存在しない場合（Ｓ４０７：ＮＯ）、当該受信データ（中継情報１００）は破棄される（Ｓ４１１）。Ｓ４０９又はＳ４１１の後はＳ４０１に戻って、次の無線データの受信を待ち受ける。
【００９８】
一方、コマンド２００である場合（Ｓ４０５：ＹＥＳ）、当該コマンド２００のＳＲＣ＿ＩＤに、そのタイル状センサ２に固有の識別情報が存在するか否かが判定される（Ｓ４１３）。ＳＲＣ＿ＩＤに自身の識別情報が存在しない場合は（Ｓ４１３：ＮＯ）、統計／推論処理（図２２）での演算モードが変更される（Ｓ４１５）。そして、各タイル状センサ２の識別情報が、Ｓ４０３で取得されたコマンド２００のＳＲＣ＿ＩＤにセットされ（Ｓ４１７）、そのコマンド２００を外部に送信するコマンド送信処理の起動が実行される（Ｓ４１９）。
【００９９】
Ｓ４１９で起動されるコマンド送信処理では、コマンド２００がＲＦ回路２７２により無線データに変換されて、アンテナ２８を介して外部に送信される。その後、Ｓ４０１に戻って、次の無線データの受信を待ち受ける。一方、ＳＲＣ＿ＩＤに自身の識別情報が存在する場合は（Ｓ４１３：ＹＥＳ）、当該受信データ（コマンド２００）は以前に受信したことがあるため、破棄される（Ｓ４１１）。
【０１００】
ここで、統計／推論処理のモード変更（Ｓ４１５）では、コマンド２００の演算モード指示コマンド（Ｃｏｍｍａｎｄ）に対応する演算モードが、統計／推論処理（図２２）で実行される演算モードとして、ＲＡＭ２５３の所定記憶エリアにて設定される。
【０１０１】
図２１に示すように、演算モード指示コマンド（Ｃｏｍｍａｎｄ）「ＡＶＧ」であれば、複数のセンサ値の平均値を演算値として取得する演算モード「ＡＶＧ」が設定される。また、演算モード指示コマンド（Ｃｏｍｍａｎｄ）「ＲＮＧ」であれば、複数のセンサ値の最大値と最小値の差を演算値として取得する演算モード「ＲＮＧ」が設定される。なお、演算モード指示コマンド（Ｃｏｍｍａｎｄ）や演算モードは、図２１に示されるものに限定されず、任意に設定可能である。
【０１０２】
このように、図１９に示すデータ受信処理では、メイン処理（図５）と並行して、中継情報１００を受信した場合は、「受信フラグ」を「ＯＮ」にセットし、又は当該中継情報１００を破棄する処理が実行される。一方、コマンド２００を受信した場合は、統計／推論処理（図２２）で実行される演算モードを変更して当該コマンド２００を外部に転送し、又は当該コマンド２００を破棄する処理が実行される。
【０１０３】
メイン処理（図５）に戻り、Ｓ５〜Ｓ１７は、第１の実施の形態と同様に実行される。しかしながら、また、Ｓ９で呼ばれる統計／推論処理は、第1の実施の形態（図８）と異なる。すなわち、本実施形態の統計／推論処理（図２２）では、算出される演算値が、Ｓ４１５で設定された演算モードによって異なるように処理される。
【０１０４】
図２２に示すように、Ｓ９で呼ばれる統計／推論処理では、ＲＡＭ２５３の所定記憶エリアに設定されている演算モードが読み出され、その演算モードが「ＡＶＧ」であるか否かが判定される（Ｓ４２１）。演算モード「ＡＶＧ」である場合（Ｓ４２１：ＹＥＳ）、サンプリング処理（図６）で取得された複数のセンサ値の平均値が演算値として算出される（Ｓ４２３）。一方、演算モード「ＡＶＧ」でない場合（Ｓ４２１：ＮＯ）、その演算モードが「ＲＮＧ」であるか否かが判定される（Ｓ４２５）。演算モード「ＲＮＧ」である場合（Ｓ４２５：ＹＥＳ）、そのセンサ値の範囲が演算値として算出される（Ｓ４２７）。一方、演算モード「ＲＮＧ」でない場合（Ｓ４２５：ＮＯ）、その演算モードが「ＭＡＸ」であるか否かが判定される（Ｓ４２９）。演算モード「ＭＡＸ」である場合（Ｓ４２９：ＹＥＳ）、そのセンサ値の最大値が演算値として算出される（Ｓ４３１）。一方、演算モード「ＭＡＸ」でない場合（Ｓ４２９：ＮＯ）、その演算モードが「ＭＩＮ」であるか否かが判定される（Ｓ４３３）。演算モード「ＭＩＮ」である場合（Ｓ４３３：ＹＥＳ）、そのセンサ値の最小値が演算値として算出される（Ｓ４３５）。一方、演算モード「ＭＩＮ」でない場合（Ｓ４３３：ＮＯ）、そのセンサ値がそのまま演算値として取得される（Ｓ４３７）。なお、Ｓ４３９〜４４７は、第１の実施の形態（図８）のＳ６３〜Ｓ７１と同じであるから、説明は省略する。このように、統計／推論処理（図２２）では、Ｓ４１５で設定された演算モードに応じた演算値が取得されて、その演算値が識別情報などとともに中継情報１００にセットされる。なお、この中継情報１００は、データ送信処理(図５のＳ１３参照）で、外部に送信されることになる。
【０１０５】
ここで、本実施の形態の計測システム１における、データ送受信の流れについて説明する。図２３は、第４の実施の形態における、計測システム１でのデータ送受信の流れを説明するためのフローチャートである。以下では、コマンド２００のデータ送受信のみを説明する。
【０１０６】
図２３に示す計測システム１では、管理装置３において、演算モード指示コマンド（Ｃｏｍｍａｎｄ）「ＡＶＧ」の送信が指示されると（Ｓ４６１）、無線データ（コマンド２００）が外部に送信される（Ｓ４６３）。この無線データ（コマンド２００）には、「ＳＲＣ＿ＩＤ」として送信元の管理装置３に固有の識別情報「０」がセットされ、「ＤＳＴ＿ＩＤ」として全てのタイル状センサ２を送信先とする「ＦＦ」がセットされ、「演算モード指示コマンド（Ｃｏｍｍａｎｄ）」には「ＡＶＧ」が設定されている。
【０１０７】
Ｓ４６３で送信された無線データ（コマンド２００）が、近傍のタイル状センサ２「３」に受信されると、ＳＲＣ＿ＩＤに識別情報「３」が存在しないから（Ｓ４６５）、演算モードが「ＡＶＧ」に変更されて（Ｓ４６７）、ＳＲＣ＿ＩＤにその識別情報「３」がセットされ（Ｓ４６９）、外部に転送される（Ｓ４７１，Ｓ４７３）。
【０１０８】
そして、Ｓ４７１で転送された無線データ（コマンド２００）が、近傍の管理装置３に受信されると、ＤＳＴ＿ＩＤ「ＦＦ」が固有の識別情報「０」と一致しないから（Ｓ４７５）、その受信データは破棄される（Ｓ４７７）。一方、Ｓ４７３で転送された無線データ（コマンド２００）が、近傍のタイル状センサ２「２」に受信されると、ＳＲＣ＿ＩＤに識別情報「２」が存在しないから（Ｓ４７９）、演算モードが「ＡＶＧ」に変更されて（Ｓ４８１）、ＳＲＣ＿ＩＤにその識別情報「２」がセットされ（Ｓ４８３）、外部に転送される。
【０１０９】
以下、同様にして、１つのコマンド２００がリレー方式で複数のタイル状センサ２の間を転送されていき、各タイル状センサ２に演算モード「ＡＶＧ」が設定される。なお、各タイル状センサ２において、無線データ（コマンド２００）のＳＲＣ＿ＩＤに自身の識別情報が存在する場合は、以前にそのコマンドを受信していることを示すため、当該受信データは破棄される。一方、図示しないが、各タイル状センサ２では、演算モード「ＡＶＧ」に基づいて演算値が算出されて、その演算値を含む中継情報１００が、リレー方式で管理装置３に収集・管理される。
【０１１０】
以上、本実施の形態の計測システム１によれば、管理装置３から送信されたコマンド２００（演算モード指示コマンド）が複数のタイル状センサ２の間を転送されていき、各タイル状センサ２では、統計／推論処理（図２２）で実行される演算モードが設定されて、その演算モードに応じた演算値が取得される。よって、管理装置３から各タイル状センサ２で実行される演算モードを任意に設定することができ、しかも管理装置３から各タイル状センサ２に直接コマンド２００を送信するよりも、計測システム１内の通信トラフィックの負荷を低減することができる。
【０１１１】
次に、本発明の第５の実施の形態について説明する。本実施の形態に係る計測システム１は、基本的に第４の実施の形態のものと同様であるが、管理装置３からタイル状センサ２にセンサ種類を設定するためのコマンドが送信される点が異なる。図２４は、第５の実施の形態における、データ受信処理の詳細を示すフローチャートである。図２５は、センサ種類指示コマンドを説明するための図である。図２６は、第５の実施の形態における、計測システム１でのデータ送受信の流れを説明するためのフローチャートである。以下では、第４の実施の形態と異なる点のみを説明する。
【０１１２】
本実施の形態では、例えば、管理装置３の入力装置３３４等から各タイル状センサ２でのセンサ種類の指定や変更などが入力されると、センサ種類を指示するコマンド２００が外部に送信される。そして、管理装置３の近傍に存在するタイル状センサ２がコマンド２００を受信すると、サンプリング処理（図６）で使用されるセンサ種類がコマンド２００に基づいて設定され、コマンド２００がさらに外部に転送される。コマンド２００は複数のタイル状センサ２の間で転送されていき、各タイル状センサ２では所定のセンサ種類が設定されて、そのセンサ種類に基づいてセンサ値のサンプリングが実行される。
【０１１３】
図２４に示すように、Ｓ４で起動されるデータ受信処理は、第４の実施の形態（図１９）と同様であり、Ｓ５０１〜Ｓ５１１はＳ４０１〜Ｓ４１１と同じである。しかしながら、コマンド２００のＳＲＣ＿ＩＤに自身の識別情報が存在しない場合（Ｓ５１３：ＮＯ）、ＲＡＭ２５３に記憶されているセンサ種類識別コードが読み出される（Ｓ５１５）。センサ種類識別コードは、そのタイル状センサ２に具備されているセンサの種類を示す情報であり、複数種類のセンサを具備している場合は、現在サンプリング処理（図６）で使用しているセンサ種類が示される。例えば、本実施の形態の場合、センサ種類識別コードとして圧力センサ２３を示す「ＦＯＲＣＥ」が設定されている。
【０１１４】
そして、センサ種類指示コマンド（Ｃｏｍｍａｎｄ）で指示されたセンサ種類が、センサ種類識別コードに示されるセンサ種類と一致するか否かが判定される（Ｓ５１７）。一致しない場合には（Ｓ５１７：ＮＯ）、現在サンプリング処理（図６）で使用しているセンサ種類が、センサ種類指示コマンド（Ｃｏｍｍａｎｄ）で指示されたセンサ種類のものに切り替えられる（Ｓ５１９）。なお、タイル状センサ２がセンサ種類識別コードに対応するセンサを具備していない場合は、サンプリング処理（図６）が停止される（Ｓ５１９）。その後、図１９のＳ４１７〜Ｓ４１９と同様に、コマンド２００が外部に転送される（Ｓ５２１〜Ｓ５２３）。
【０１１５】
図２５に示すように、センサ種類指示コマンド（Ｃｏｍｍａｎｄ）「ＴＥＭＰ」であれば、温度に関するセンサ値が検出されるように、センサ種類として温度センサが設定される。また、センサ種類指示コマンド（Ｃｏｍｍａｎｄ）「ＬＵＸ」であれば、光に関するセンサ値が検出されるように、センサ種類として光センサが設定される。なお、センサ種類指示コマンド（Ｃｏｍｍａｎｄ）やセンサ種類は、図２５に示されるものに限定されず、任意に設定可能である。
【０１１６】
このように、図２４に示すデータ受信処理では、メイン処理（図５）と並行して、中継情報１００を受信した場合は、「受信フラグ」を「ＯＮ」にセットし、又は当該中継情報１００を破棄する処理が実行される。一方、コマンド２００を受信した場合は、サンプリング処理（図６）で使用されるセンサ種類を変更して当該コマンド２００を外部に転送し、又は当該コマンド２００を破棄する処理が実行される。
【０１１７】
図２６に示すように、本実施の形態の計測システム１は、第４の実施の形態（図２３）と同様にデータ送受信されるが、以下の点で異なる。すなわち、管理装置３から送信されたコマンド２００には、センサ種類指示コマンド（Ｃｏｍｍａｎｄ）「ＴＥＭＰ」が格納されている（Ｓ５３３）。そして、このコマンド２００を受信したタイル状センサ２「３」では、センサ種類が「ＴＥＭＰ」（温度センサ）に変更される（Ｓ５３７）。また、タイル状センサ２「３」から転送されたコマンド２００を受信したタイル状センサ２「２」でも、センサ種類が「ＴＥＭＰ」（温度センサ）に変更される（Ｓ５５１）。
【０１１８】
以下、同様にして、１つのコマンド２００がリレー方式で複数のタイル状センサ２の間を転送されていき、各タイル状センサ２にセンサ種類「ＴＥＭＰ」（温度センサ）が設定される。なお、温度センサを具備しないタイル状センサ２では、センサ値のサンプリングが停止される。一方、図示しないが、各タイル状センサ２では、センサ種類「ＴＥＭＰ」（温度センサ）に基づいてセンサ値がサンプリングされて、このセンサ値に基づいて算出された演算値を含む中継情報１００が、リレー方式で管理装置３に収集・管理される。
【０１１９】
以上、本実施の形態の計測システム１によれば、管理装置３から送信されたコマンド２００（センサ種類指示コマンド）が複数のタイル状センサ２の間を転送されていき、各タイル状センサ２では、サンプリング処理（図６）で使用されるセンサ種類が設定されて、そのセンサ種類に基づくセンサ値のサンプリングが実行される。よって、管理装置３から各タイル状センサ２で使用されるセンサ種類を任意に設定することができ、しかも管理装置３から各タイル状センサ２に直接コマンド２００を送信するよりも、計測システム１内の通信トラフィックの負荷を低減することができる。
【０１２０】
ところで、上記第１乃至第５の実施の形態において、タイル状センサ２が本発明の「計測装置」に相当し、圧力センサ２３が本発明の「センサ手段」に相当し、ＥＥＰＲＯＭ２６０が本発明の「識別情報記憶手段」に相当し、メイン処理（図５）を実行するＣＰＵ２５１が本発明の「演算処理手段」に相当し、無線通信回路基板２７及びアンテナ２８が本発明の「データ送信手段」、「データ受信手段」、「データ転送手段」、「第１コマンド情報受信手段」、「第１コマンド情報転送手段」、「第２コマンド情報受信手段」及び「第２コマンド情報転送手段」に相当する。
【０１２１】
また、管理装置３が本発明の「管理装置」に相当し、アンテナ３１及び無線通信装置３２が本発明の「中継情報受信手段」、「第１コマンド情報送信手段」及び「第２コマンド情報送信手段」に相当し、ＨＤＤ３３７が本発明の「中継情報記憶手段」に相当し、メイン処理（図１４）を実行するＣＰＵ３３１が本発明の「管理制御手段」に相当する。なお、コマンド２００が本発明の「第１コマンド情報」及び「第２コマンド情報」に相当する。
【０１２２】
また、タイル状センサ２が本発明の「板状計測装置」に相当し、板状計測装置ＲＯＭ２５２に記憶された制御プログラムが本発明の「計測制御プログラム」に相当する。そして、タイル状センサ２のメイン処理（図５）において、サンプリング処理（図６）が本発明の「センシング工程」に相当し、統計／推論処理（図８）が本発明の「演算処理工程」に相当し、データ送信処理（Ｓ１３，Ｓ８９参照）が本発明の「データ送信工程」に相当し、管理装置３のメイン処理（図１１）において、中継情報受信処理（図１２）が本発明の「中継情報受信工程」及び「中継情報保存工程」に相当し、データ分析処理（Ｓ１０７）及びデータ表示処理（Ｓ１０９）が本発明の「管理制御工程」に相当する。
【０１２３】
なお、本発明は、以上詳述した第１乃至第５の実施の形態に限定されるものではなく、各種の変形が可能なことはいうまでもない。例えば、第２及び第４の実施の形態を組み合わせた計測システム１によって、中継情報１００を受信した場合には、その中継情報１００に演算値を付加して転送する一方、コマンド２００を受信した場合には、そのコマンドに応じた演算モードを設定して転送するようにしてもよい。また、第４及び第５の実施の形態を組み合わせた計測システム１によって、コマンド２００に演算モード指示コマンドが含まれていれば演算モードを設定し、センサ種類指示コマンドが含まれていればセンサ種類を設定するようにしてもよい。
【０１２４】
また、管理装置３において時間要素に基づく演算結果を欲するのであれば、統計／推論処理（図２２）で実行される演算モードとして、一定期間、中継情報１００を保持して、時間平均、時間変動の大きさ等を演算後、次へ送信するようにしてもよい。また、データ量を低減する目的だけであれば、統計／推論処理（図２２）の代替に、圧縮処理を使用してもよい。この場合、管理装置３において圧縮解凍処理が実行され、以降の処理に引き渡されることになる。また、統計／推論処理（図２２）で実行される演算モードとして、中継値とセンサ値を合わせて演算処理した結果がある閾値を越えたら、推論や中継を行うようにすれば、データ量を低減でき、無意味な情報をカットすることができる。このように、統計／推論処理（図２２）で実行される内容は、利用者や設計者の目的や用途に応じて、最適なものを任意に設定すればよい、
【０１２５】
また、複数のタイル状センサ２の間をリレー方式で中継情報１００が転送されて、管理装置３で有効にその中継情報１００を収集・管理することができるのであれば、従来のデータ転送技術を任意に用いて本発明を実現すればよい。同様に、管理装置３から送信されたコマンド２００が複数のタイル状センサ２の間をリレー方式で転送されて、有効に各タイル状センサ２に伝達することができるのであれば、従来のデータ転送技術を任意に用いて本発明を実現すればよい。
【０１２６】
また、管理装置３のメイン処理（図１１）では、被分析エリア内に存在する被検出対象を分析するために、データ分析処理（Ｓ１０７），データ表示処理（Ｓ１０９），分析結果保存処理（Ｓ１１１）などが実行されているが、中継情報１００（特に、演算値や推論値）を利用する目的や用途などによって各処理の詳細は異なるものであり、それらの処理内容も任意に設定することができるのはいうまでもない。
【産業上の利用可能性】
【０１２７】
本発明の計測システム、板状計測装置、計測制御プログラム及び計測システムの制御方法は、被分析エリア内に存在する被検出対象を計測するための計測システム等として利用できる。
【図面の簡単な説明】
【０１２８】
【図１】計測システム１についての全体構成図である。
【図２】タイル状センサ２の外観を示す斜視図である。
【図３】タイル状センサ２の電気的構成を示すブロック図である。
【図４】管理装置３の電気的構成を示すブロック図である。
【図５】タイル状センサ２のメイン処理を示すフローチャートである。
【図６】サンプリング処理の詳細を示すフローチャートである。
【図７】データ受信処理の詳細を示すフローチャートである。
【図８】統計／推論処理の詳細を示すフローチャートである。
【図９】中継情報１００のデータ構成を示す図である。
【図１０】データ転送処理の詳細を示すフローチャートである。
【図１１】管理装置３のメイン処理を示すフローチャートである。
【図１２】中継情報受信処理の詳細を示すフローチャートである。
【図１３】計測システム１でのデータ送受信の流れを説明するためのフローチャートである。
【図１４】第２の実施の形態における、タイル状センサ２のメイン処理を示すフローチャートである。
【図１５】第２の実施の形態における、データ転送処理の詳細を示すフローチャートである。
【図１６】第２の実施の形態における、計測システム１でのデータ送受信の流れを説明するためのフローチャートである。
【図１７】第３の実施の形態における、データ転送処理の詳細を示すフローチャートである。
【図１８】第３の実施の形態における、計測システム１でのデータ送受信の流れを説明するためのフローチャートである。
【図１９】第４の実施の形態における、データ受信処理の詳細を示すフローチャートである。
【図２０】コマンド２００のデータ構成を示す図である。
【図２１】演算モード指示コマンドを説明するための図である。
【図２２】第４の実施の形態における、統計／推論処理の詳細を示すフローチャートである。
【図２３】第４の実施の形態における、計測システム１でのデータ送受信の流れを説明するためのフローチャートである。以
【図２４】第５の実施の形態における、データ受信処理の詳細を示すフローチャートである。
【図２５】センサ種類指示コマンドを説明するための図である。
【図２６】第５の実施の形態における、計測システム１でのデータ送受信の流れを説明するためのフローチャートである。
【符号の説明】
【０１２９】
１    計測システム
２    タイル状センサ
３    管理装置
２１    基板
２３    圧力センサ
２５    制御回路基板
２７    無線通信回路基板
２８    アンテナ
３１    アンテナ
３２    無線通信装置
３３    装置本体
１００    中継情報
２００    コマンド
２５1  ＣＰＵ
２５２  ＲＯＭ
２５３  ＲＡＭ
２５４  タイマ
２５５  切替回路
２５６  アナログポート
２５７  Ａ／Ｄ変換回路
２５８  デジタルポート
２５９  Ｉ／Ｆ回路
２６０  ＥＥＰＲＯＭ
【図１】
2006172140.tif 000003
【図２】
2006172140.tif 000004
【図３】
2006172140.tif 000005
【図４】
2006172140.tif 000006
【図５】
2006172140.tif 000007
【図６】
2006172140.tif 000008
【図７】
2006172140.tif 000009
【図８】
2006172140.tif 000010
【図９】
2006172140.tif 000011
【図１０】
2006172140.tif 000012
【図１１】
2006172140.tif 000013
【図１２】
2006172140.tif 000014
【図１３】
2006172140.tif 000015
【図１４】
2006172140.tif 000016
【図１５】
2006172140.tif 000017
【図１６】
2006172140.tif 000018
【図１７】
2006172140.tif 000019
【図１８】
2006172140.tif 000020
【図１９】
2006172140.tif 000021
【図２０】
2006172140.tif 000022
【図２１】
2006172140.tif 000023
【図２２】
2006172140.tif 000024
【図２３】
2006172140.tif 000025
【図２４】
2006172140.tif 000026
【図２５】
2006172140.tif 000027
【図２６】
2006172140.tif 000028